(57)【要約】【解決手段】本発明は、少なくとも略長方形の横断面を有するプロファイルドレール１２上へ対象物を取り付けるための固定用ブロックに関するものである。その固定用ブロックは、少なくとも一つの爪２６を有するハウジング部１４を備え、その爪２６は、ハウジングに固定されると共に、プロファイルドレール１２と平行な接触面によりハウジング部１４がプロファイルドレール１２の二つの面に支えられるように、プロファイルドレール１２上に伸びる。固定用ブロックは、また、Ｌ形状の可動クランプ部２８を備え、その可動クランプ部２８は、その第１Ｌリム３０とともに、接触面と平行な第１軸３２に対し旋回可能なように、ハウジング部１４に設けられ、爪形状を有する第２Ｌリム３４によりプロファイルドレール１２の周りに伸びるクランピング位置内でプレテンションされる。最後に、固定用ブロックは、クランピング位置において、クランプ部２８を締付け、ブロックするための締付４０、４６、７２装置を備える。ドローロッド４０は、第１軸３２と平行な第２軸３８に対し旋回可能なように、クランピング部２８の第１Ｌリム３０の突出部３６に結合される。上記突出部３６は、第１軸３２に対し放射状に整列する。ドローロッドは、略平行に第２リム３４へ伸びる。締付装置は、張力に抗する際にドローロッド４０と連結すると共に、直接又は間接にハウジング部１４により支持される締付ねじ７２を備える。
2005504189.tif 000002
【特許請求の範囲】
【請求項１】
少なくとも略長方形断面を有するプロファイルドレール上に、対象物を取り付けるための固定用ブロックであって、
少なくとも一つのハウジング取付爪を有するハウジング部を備え、そのハウジング取付爪は、上記プロファイルドレールと平行である作用面を有する上記ハウジング部が、上記プロファイルドレールの少なくとも二つの表面に対し作用するように、上記プロファイルドレールと重なり合わすことが意図され、
上記作用面と平行な第１軸に対し旋回できるように、その第１Ｌレッグにより上記ハウジング部へ取り付けられる、Ｌ字形状の可動クランプ部を備え、その可動クランプ部は、上記プロファイルドレールを囲むクランピング位置において、爪形状に設計されたその第２Ｌレッグとともに、スプリング手段によりプレストレスされ、
上記クランピング位置において、上記クランプ部を、クランプすると共にストップするためのクランプ装置を備え、放射状に上記第１軸のほうを向き、かつ上記クランプ部の上記第１Ｌレッグに属する作動突起部へ、上記第１軸と平行な第２軸に対し傾くことができるように、プルロッドが連結され、プルロッドが、上記第２Ｌレッグと略平行に延び、かつ上記クランプ装置がクランピングねじを有し、そのクランピングねじは、テンションが作用するように、上記プルロッドへ連結されると共に、直接にまたは間接に上記ハウジング部により支持されるように構成されたことを特徴とするプロファイルドレール上に対象物を取り付けるための固定用ブロック。
【請求項２】
上記プルロッドがクランピングスリーブに連結され、そのクランピングスリーブが上記プルロッドの軸と同軸なハウジングガイド内で、軸方向にシフト可能なように案内されると共に、少なくとも部分的に上記ハウジング部から延びるセクション内に、その軸と直交するように方向づけられたパーホレーションを有すると共に、さらに、その軸方向で外側の端部において、上記パーホレーションと交差する同軸のねじ付ボアを有し、そのボア内部に、ハンドルを備えたクランピングねじが、螺合するように構成された請求項１記載の固定用ブロック。
【請求項３】
上記ハウジングガイドの外側の端部が、パイプセクションにより構成され、その内に、上記パイプセクションの軸方向で外側の端部を向きに開くリセスが形成され、さらに、そのリセスは、上記クランピングスリーブが軸方向にシフトする間、上記パーホレーションの横断面の一部と重なる位置へと移動するように構成された請求項２記載の固定用ブロック。
【請求項４】
上記パイプセクションが歯付リングとして設計され、その歯付リングは、上記クランピングスリーブを囲むと共に、上記ハウジング側の端部に、上記ハウジング部上の相手側の歯部と噛み合う歯部を備えた請求項３記載の固定用ブロック。
【請求項５】
上記プルロッドが、その自由端に、上記ロッドのシャフトに比べ放射状により拡がる頭部を有し、上記ロッドのシャフト側の頭部の表面が、球状面のセグメントの形状を有すると共に、上記クランピングスリーブの相補的に形成される軸受面に作用することが意図され、そのリング状の軸受面が、上記プルロッドを囲むように構成された請求項２〜４いずれかに記載の固定用ブロック。
【請求項６】
上記クランピングねじが、上記プルロッドと直接螺合するように構成された請求項１記載の固定用ブロック。
【請求項７】
上記クランピングねじが、上記ハウジング部上で回転可能に支持されると共にハンドルを有するねじ付スリーブを備え、そのねじ付スリーブが、その内部に、雄ねじを有する上記プルロッドと螺合する、雌ねじを有する請求項６記載の固定用ブロック。
【請求項８】
上記ねじ付スリーブの支持面が、相補的に形成された上記ハウジング部の軸受面に作用する、球状面のセグメントの形状に設計された請求項７記載の固定用ブロック。
【発明の詳細な説明】
【技術分野】
【０００１】
本発明は、少なくとも略長方形の横断面を有するプロファイルドレール（profiled rail）上へ対象物を取り付けるための固定用ブロック（fastening block）に関するものである。その固定用ブロックは、少なくとも一つのハウジング取付爪を有するハウジング部を備え、そのハウジング取付爪は、プロファイルドレールと平行である作用面を有するハウジング部が、プロファイルドレールの少なくとも二つの表面に対し作用するように、プロファイルドレールと重なり合わすことが意図される。固定用ブロックは、作用面と平行な第１軸に対し旋回できるように、第１Ｌレッグとともにハウジング部へ取り付けられるＬ字形状の可動クランプ部を備え、その可動クランプ部は、プロファイルドレールを囲むクランピング位置において、爪形状に設計されたその第２Ｌレッグとともに、スプリング手段によりプレストレスされる。固定用ブロックは、クランピング位置でクランプ部をクランプし、かつストップさせるためのクランプ装置を備える。
【背景技術】
【０００２】
上述したタイプの固定用ブロックは、例えば、特許文献１により公知である。そのような固定用ブロックは、例えば、付属装置を手術台（operating table）へ取り付けるために使用される。これらの付属装置を、プロファイルドレール上へ確実に取り付け、固定用ブロックの迅速で簡素な作動を可能にするための過程では、注意を払わなければならない。
【０００３】
公知である実施形態において、クランプ部は、ボルトの円柱部分へ取り付けられる。そのボルトは、旋回軸に関して偏心しており、トルクプルーフなように調整要素へ結合される。このクランプ部のアタッチメントのために、後者は、ハウジング部に関して旋回可能なだけでなく、旋回軸に対し、垂直に移動可能である。これにより、固定用ブロックを隙間とともにプロファイルドレール上に配置し、その後、ボルトを回転させることでクランプ部を引き、プロファイルドレール上の隙間を除去し配置する可能性が可能となり、固定用ブロックのプロファイルドレール上への隙間のないシートが保証される。
【０００４】
【特許文献１】
独国特許出願公開第ＤＥ−Ａ−３１  ４９  ２１９号明細書
【特許文献２】
独国特許出願公開第ＤＥ−Ａ−３１  ４９  ２１５号明細書
【発明の開示】
【発明が解決しようとする課題】
【０００５】
公知である固定用ブロックにおいて、ハウジング部は、手術台の上に付けられる付属部品へ、例えば、溶接により、一体的に（integrally）結合される。クランプ部のための軸受ボルトが、ハウジング部の二つの平行な表面を貫通し延びるために、付属部品を結合するためのハウジング部の表面において、比較的少しの表面だけが、利用可能となる。そのうえ、同一の固定用ブロックには、所望の、異なる付属部品を結合することができない。
【０００６】
本発明は、導入部において述べたタイプの、多用な目的に使用することができ、プロファイルドレール上の強固な取付を保証し、さらに、簡素かつ迅速であるような作動が可能な、固定用ブロックを供することについての問題に基づく。
【課題を解決するための手段】
【０００７】
その問題は、本発明によれば、第１軸へ向かい放射状（radially）に向けられかつクランプ部の第１Ｌアームに属する作動突出部（actuation projection）へ、プルロッドが略平行に第二Ｌレッグへ延びるよう、第１軸と平行な第２軸により、プルロッドを結合することと、クランプ装置がクランピングねじを有し、そのクランピングねじは、テンションが作用するように、プルロッドへ連結されると共に、直接または間接にハウジング部により支えられることとにより解決される。本発明に係る固定用ブロックは、特許文献２により公知である固定用ブロックがまさに行うように、クランプ部をプレストレスすることやストップすることなしに、プロファイルドレール上への、強固な取付を保証する。しかしながら、本発明による解決策が多大な信頼性を提供するのは、偶発的な動きにより、固定用ブロックがプロファイルドレールから外れることを可能とするに足るだけクランピングねじを緩めることができないからである。公知の解決策において、クランプ部は、偏心ボルトが９０度回転することのみにより、クランプされる、後者は、故意でない、クランピング位置からリリース位置への移動のために、誤調整されることがあり、従って、固定用ブロックが、緩むことがある。さらに、本発明による解決策において、第１レッグは、二本アームのレバーを形成し、その一端には、プロファイルドレールに対して作用する第２レッグが、取り付けられる。さらに、その他端には、プルロッドが係合する。クランピングねじのねじ付伝動装置（threaded gearing）と関連して、非常に高いクランプトルクを、単純な方法によりクランプ部へ伝達することができる。本発明による解決策の更なる有利な点は、クランプ装置がハウジング部の一つの表面のみを必要とすることに存することで、従って、ハウジング部の他の表面は、取り付けられる付属部品との完全な結合を、得ることができる。
【０００８】
好適な実施形態において、プルロッドは、クランピングスリーブ（clamping sleeve）に連結される。そのクランピングスリーブは、プルロッドの軸と同軸であるハウジングガイド内で、軸方向（axial）にシフトできる。そのクランピングスリーブは、少なくとも部分的にハウジング部より外に延びるセクションにおいて、その軸と垂直に方向付けられるパーホレーション（孔）を有する。そのクランピングスリーブは、軸方向で外側の端部に、パーホレーションと交差する同軸のねじ付ボアを有する。さらに、そのねじ付ボア内部に、ハンドルを備えたクランピングねじが、螺合する。
【０００９】
解決策において、取り付けられる付属品に結合されたロッドを、クランピングスリーブのパーホレーションに差し込み可能であることと、クランプ部をクランピングねじによりクランプ可能であることの他に、付属部に結合されるロッドをクランプすることを含み得ることとが提案される。その過程において、ロッドは、ハウジングガイドの外側の端部に向かい、押される。そのハウジングガイドの外側の端部は、パイプセクションから構成することができる。そのパイプセクションには、パイプセクションの軸方向の外側の端部に向けて開くリセス（凹部）が、形成される。そのリセスは、クランピングスリーブが軸方向にシフトした場合には、パーホレーションの横断面の一部と重なる位置に配置される。従って、クランプされるロッドは、クランピングスリーブのパーホレーションを貫通するだけでなく、ハウジング部と関係するその位置に固定されるように、ハウジングガイドのパイプセクションのリセスと係合する。
【００１０】
パイプセクションは、歯付リングとして、設計することができる。その歯付リングは、移動可能に、ハウジング部と結合されると共に、ハウジング部側の端部上に、ハウジング部上の相手側（counter）の歯部と噛み合う歯部を有する。これにより、パイプセクションがハウジング部に対し回転可能となり、従って、付属部品の、固定用ブロックのハウジング部に対する位置が、変更可能となる。歯部と相手側の歯部が噛み合う結果、パイプセクションの所与の位置を強固に固定することができる。
【００１１】
プルロッドには、その自由端において、ロッドのシャフトと比べて放射状により拡がる頭部を供することが好ましい。その頭部の、ロッドのシャフト側の表面は、球状面のセグメントの形状に設計され、クランピングスリーブの相補的（complementaily）に形成される軸受面に作用することが意図される。そのリング状（like a ring）の軸受面は、プルロッドを囲む。その結果として、例えば、クランプされた付属部品の、固定用ブロックに対する調整を変更するために、クランピングスリーブを、プルロッドの軸回りに回転させることができ、その他、プルロッドのクランピングスリーブに対する旋回運動を行うこともできる。これは、クランプ部を調整する間、プルロッドが、単に軸方向の移動のみならず、旋回運動をも行うのに対し、ハウジングガイド内では、クランピングスリーブが軸方向へのシフトのみ可能であるためである。
【００１２】
本発明に係る固定用ブロックの第２の実施形態において、ハウジング部を付属部品と一体的に結合することが意図され、クランピングねじは、プルロッドと直接螺合する。この目的のために、クランピングねじは、例えば、ハウジング部上に回転可能に支持されると共にハンドルを有するねじ付スリーブを、備える。そのねじ付スリーブは、雌ねじ（internal threading）を有し、その内部に、雄ねじ（external threading）を有するプルロッドが螺合する。この場合も同様に、クランプ部を調整する間、プルロッドの軸方向移動と旋回とを同時に可能にするため、相補的に形成されたハウジング部の軸受面に作用する、ねじ付スリーブの支持面が、球状面のセグメントとして、有利に（advantageously）形成される。
【００１３】
本発明の、更なる特徴および有利な点は、以下の、付属の図との関連において、二つの実施例（embodiment examples）の参照とともに、本発明を説明する記述より得られる。
【発明の効果】
【００１４】
本発明によれば、多用な目的に使用することができ、プロファイルドレール上の強固な取付を保証し、さらに、簡素かつ迅速であるような作動が可能であるという優れた効果を発揮するものである。
【発明を実施するための最良の形態】
【００１５】
図１と図２とは、一般参照番号１０が付される固定用ブロックの第１の実施形態を示す。固定用ブロック１０は、破線で示され長方形の断面を有するプロファイルドレール１２上に、取り付けることができる。プロファイルドレールは、図示しない種々の付属部品を、プロファイルドレール１２上に取り付けることに、役立つ。プロファイルドレール１２は、例えば、手術台の患者寝台面（the patient's bedding surface）に沿うよう配置することができる。
【００１６】
固定用ブロック１０は、略立方形のハウジング部１４を有し、その正面が１６、カバー面が１８、側面が２０および２２であり、同様に底面が２４である。ハウジング部１４の背面上には、ハウジング取付爪（housing-attached claw）２６が設けられる。そのハウジング取付爪２６は、固定用ブロックがプロファイルドレール１２上に配置される際に、図２に示すようプロファイルドレール１２と重ね合わすことができる。ハウジング取付爪２６は、可動クランプ部２８と関係づけられる。その可動クランプ部２８は、図２に図示するように、Ｌ字状の外形を有し、さらに、それのＬレッグの内の一方３０により、旋回可能なように、側壁２０および２２を通るシャフト３２へ取り付けられる。図２に示すように、他方のＬレッグ３４も、また爪形状をなすよう設計され、プロファイルドレール１２を下方より掴む。図２に図示するクランピング位置において、クランプ部２８は、スプリング３５により、プレストレスされ、そのスプリング３５は、一方では、ハウジング部１４の壁面上で支えられ、他方では、クランプ部２８上で支えられる。
【００１７】
クランプ部２８の第１Ｌレッグ３０は、シャフト３２の上方に突出する突出部３６を有する。その突出部３６には、プルロッド４０が、シャフト３２と平行な軸３８に対し旋回できるように、取り付けられる。後者のプルロッドは、シャフト４２を有し、その自由端上に、その直径がシャフト４２のそれよりも大きい頭部４４が形成される。プルロッド４０は、クランピングスリーブ４６と連結する。そのクランピングスリーブ４６は、プルロッド４０と同軸であり、ハウジング部１４の前壁３７内に形成されるガイド４８内で軸方向にシフト可能なように案内される。プルロッド４０の頭部４４は、軸３８側のその底面上に、球状面５０のセグメントを有する。さらに、その球状面５０は、相補的に形成された軸受面５２に面するように配置される。その軸受面５２は、同中心にプルロッド４０を囲むと共に、クランピングスリーブ４６内部に設けられる。クランピングスリーブ４６は、その軸に対し、ハウジング部１４のガイド４８の内部で、自由に回転することができ、さらに、軸方向へシフトすることができる。図２において矢印Ａの方向である、引き抜き方向への軸方向の移動は、より大きな直径を有する、ガイド４８内のステップ５６に接する、クランピングスリーブ４６のエンドセクション５４の橋台（abutment）により制限される。
【００１８】
クランピングスリーブ４６は、少なくとも部分的にガイド４８より外に延びる領域において、パーホレーション５８を有する。そのパーホレーション５８は、クランピングスリーブ４６の長手軸まで垂直に延び、さらに、そのパーホレーション５８を貫通させ、クランプされる付属部品の取付ロッド（図示せず）を、挿入することができる。ガイド４８の外側の部分は、歯付リング（toothed ring）６０により構成される。その歯付リング６０は、クランピングスリーブ４６上において軸方向にシフト可能であり、かつ、ラジアルピン６１により、クランピングスリーブ４６へトルクプルーフに結合される。そのラジアルピン６１は、クランピングスリーブ４６の軸平行な溝と係合する。その歯付リング６０は、その軸方向でハウジング部１４側の端部上に、歯部６２を有する。その歯部６２は、ハウジング部１４上に形成される相手側の歯部６４と噛み合う。そのうえ、歯付リング６０は、その軸方向でハウジング部１４側の端部上に、パーホレーション５８の横断面の一部と重なる位置を取り得るように設計されるリセス６６を、有する（図１に詳細に示す）。従って、パーホレーション５８内に挿入されるロッドは、リセス６６とも部分的に係合する。
【００１９】
クランピングスリーブは、ハウジング部１４から遠いほうの端部に、ねじ付ボア６８（threaded bore）を有する。そのボア６８は、クランピングスリーブ４６の長手軸と同軸であり、その中に、バー７０と結合するＴねじ７２がねじ込まれる。
【００２０】
その使用中は、固定用ブロック１０は、ハウジング部１４上に形成される爪２６とともに、プロファイルドレール１２上に、上方から横向きに配置される。そのとき、クランプ部２８の爪状の第２Ｌレッグ３４上は、プロファイルドレール１２上の作用する位置にある。クランプ部２８の幾何学的な配置の結果として、配置された固定用ブロック１０が、その水平な状態において下向きに押された際に、クランプ部２８を開放する方向へ旋回させるトルクが生じる。その際、クランプ部２８は、開放され、最終的にそれは、図２に示す位置において、プロファイルドレール１２底部の縁をかむ（snaps over）。クランプ部２８がプロファイルドレールを囲む際、プロファイルドレール１２上の爪２６および３４からなる囲い（closure）は、一つ又は複数のスプリング３５により支持される。その手段により、クランプ部２８が、プロファイルドレール１２にクランプされる（clamped）。この状態においてはもはや、任意の軸について作用する許容荷重の範囲内での任意の大きさのトルクにより、生成された囲いが緩むことはない。従って締付（clamping）を行わない状態において、一つのセーフティファクタが既に提供される。
【００２１】
ロッドを有する付属部品を、クランピングスリーブ４６のパーホレーション５８に挿入したならば、Ｔねじ７２をバー７０の補助により回転させ、歯付リング６０と付属ロッドとの空間を詰める。その空間を、Ｔねじ７２と付属ロッドと歯付リング６０との間の空間が残らないように、減少させると、クランピングスリーブ４６が、プロファイルドレールから離れるように移動する。結果として、プルロッド４０も、図２において矢印Ａの方向である、この方向へ引っ張られる。結果として、図２において、クランプ部２８は、プロファイルドレール１２をクランプするＬレッグ３４を伴い、時計回りに再び旋回する。その後、固定用ブロック１０が、プロファイルドレール１２にストップする。Ｔねじを強固に締めることに先立ち、歯付リング６０を噛み合わせることで、ハウジング部１４と相対的な、付属ロッドの任意の回転方向位置を、予め選択し、かつ調整できることを理解し得るであろう。Ｔねじ７２を締付けても、この位置関係は、移動することなく固定できる。
【００２２】
プロファイルドレール１２からの固定用ブロック１０の取り外しは、挿入された付属ロッドをパーホレーション５８から引き抜けるようになるまで、再びＴねじ７２を、開放するように回転させることでなされる。Ｔねじ７２に対する軸方向の圧力により、クランピングスリーブ４６は、矢印Ａの方向と反対の方向に、ハウジング部１４内へシフトする。次に、クランピングスリーブ４６は、クランプ部２８のＬレッグ３０を押し、その結果、後者のＬレッグ３０が、開放する方向へと、図２において反時計回りに旋回する。その後、固定用ブロック１０を、クランプ部２８の開放が保たれている間に、上方に旋回させて離すことで、プロファイルドレール１２から外すことができる。
【００２３】
上の記述において示したように、プロファイルドレール１２上へ固定用ブロック１０を固定することと、付属部品をクランプすることとは、単一のクランプする手順における単一の作業上の要素により、正面より容易かつ非常に簡単になされる。従って、Ｔねじもまた、容易に達することができる。固定用ブロックを、プロファイルドレール１２上に配置し、さらに挟み込むことで、強固でポジティブなロックが既になされ、さらに、プロファイルドレール１２上の固定用ブロック１０には、接着力がある程度存在し、ブロックのレールに沿ったシフトに対して作用する。付属品をクランプすることでトルクが生じ、その結果、プロファイルドレール上の固定用ブロックのクランプ力が増加する。付属品をクランプするためのねじ山によりプロファイルドレール１２の公差を、容易に補償できる。固定用ブロックを、クランピングねじまたはＴねじ７２上の軸方向の圧力により容易に緩め、同時に、プロファイルドレール１２より取り外す（tip）することができる。
【００２４】
図３および４に示される固定用ブロックにおいて、同一の部品には、同一の参照番号が、再び供される。この固定用ブロックは、付属部品とのポジティブな結合が意図される。例えば、付属部品が固定用ブロックに溶接される。この固定用ブロックは、クランプ装置に関して、図１および２の実施形態と異なる。
【００２５】
プルロッド４０の自由端上に、リング７４が付けられ、そのリング７４は、雄ねじを有し、さらに、クランピングスリーブ４６のねじ付（threaded）ボア７６と螺合する。クランピングスリーブ４６は、ハウジング部１４に向けられた側に、球状面のセグメント７８を有する。そのセグメント７８は、ハウジング取付リング８２上でリング状に形成されると共に相補的に形成される軸受面８０へ作用する。その結果、クランプ部２８を調整する間の、プルロッド４０の旋回移動に、クランピングスリーブ４６が追従できる。プロファイルドレール１２上の固定用ブロックの作用と、クランプ部２８のクランプおよびストップとは、上述した第１の実施形態と同様になされる。固定用ブロックをプロファイルドレール１２から取り外すにためには、Ｔねじとして作用するクランピングスリーブ４６を、開放方向に回転させ、次に、プロファイルドレール１２上で、その方向に押す。その結果、クランプ部２８は、プルロッド４０の上を、図４において反時計回りに、開放方向へと旋回する。よって、固定用ブロック１０を、プロファイルドレール１２から、容易に取り外すことができる。
【図面の簡単な説明】
【００２６】
【図１】本発明に係る固定用ブロックの第１実施形態の概略部分透視図を示す。
【図２】その断面が、クランピングねじの軸を含み、クランプ部の旋回軸と垂直に方向づけられた断面である、図１のＩＩ−ＩＩ線に沿い固定用ブロックを通過する断面図を示す。
【図３】本発明に係る固定用ブロックの第２実施形態の図１と対応する図を示す。
【図４】図２の断面と対応し、図３のＩＶ−ＩＶ線に沿い固定用ブロックを通過する断面図を示す。
【符号の説明】
【００２７】
１２  プロファイルドレール
１４  ハウジング部
２６  ハウジング取付爪
２８  可動クランプ部
３０  第１Ｌレッグ
３２  シャフト（第１軸）
３４  第２Ｌレッグ
３６  突出部
３８  軸（第２軸）
４０  プルロッド
４６  クランピングスリーブ
７２  Ｔねじ（クランピングねじ）
【国際公開パンフレット】
2005504189.tif 000003
2005504189.tif 000004
2005504189.tif 000005
2005504189.tif 000006
2005504189.tif 000007
2005504189.tif 000008
2005504189.tif 000009
2005504189.tif 000010
2005504189.tif 000011
2005504189.tif 000012
2005504189.tif 000013
2005504189.tif 000014
2005504189.tif 000015
2005504189.tif 000016
【国際調査報告】
2005504189.tif 000017
2005504189.tif 000018
2005504189.tif 000019
2005504189.tif 000020